(57)【要約】【課題】器具本体からカバー部材を容易に取り外すこと、または、器具本体にカバー部材を容易に取り付けることが可能な照明装置を提供する。【解決手段】照明装置１００は、器具本体１０と、センターカバー５０と、サイドカバー２０，３０と、取付部５０とを備えている。センターカバー５０は、長尺の板形状を有する。サイドカバー２０，３０は、それぞれ、器具本体１０の一端と他端とに配置されている。サイドカバー２０，３０には、センターカバー５０の長手方向の一端５２と他端５３とがそれぞれ挿入される。サイドカバー２０，３０は、センターカバー５０の長手方向の一端５２と他端５３とをそれぞれ挿入させることによってセンターカバー５０を支持する。取付部５１は、センターカバー５０の長手方向の中央部においてセンターカバー５０を器具本体１０に取り付ける。【選択図】図２
2014017145.tif 000002
【特許請求の範囲】
【請求項１】
器具本体と、
長尺の板形状を有するカバー部材と、
前記器具本体の両端部に配置され、前記カバー部材の長手方向の両端部をそれぞれ挿入させることによって前記カバー部材を支持する支持部と、
前記カバー部材の長手方向の中央部において前記カバー部材を前記器具本体に取り付ける取付部とを備えた、照明装置。
【請求項２】
前記取付部は、前記カバー部材が把持されるための取っ手を含む、
請求項１に記載の照明装置。
【請求項３】
前記取付部は、前記取っ手とともに移動するストッパと、前記器具本体に前記ストッパが支持されるように前記ストッパを付勢する付勢部材とをさらに含む、
請求項２に記載の照明装置。
【発明の詳細な説明】
【技術分野】
【０００１】
本発明は、器具本体と、器具本体に取り付けられるカバー部材とを備える照明装置に関する。
【背景技術】
【０００２】
室内において天井等に設置される照明装置であって、器具本体としての本体フレームと、カバー部材としてのセンターカバーとを有する照明装置の一例として、特開２０１１−８９６４号公報（以下、特許文献１という）に記載の照明装置が知られている。特許文献１に記載の照明装置において、当該照明装置が天井等に設置される場合には、センターカバーが外された本体フレームが天井等の設置場所に取り付けられた後に、センターカバーが本体フレームに固定される。
【０００３】
センターカバーは、長手方向の寸法が縦方向の寸法よりも大きい長方形状を有している。センターカバーの長手方向の一端には一方の縁部が形成され、長手方向の他端には他方の縁部が形成されている。センターカバーの一方の縁部と本体フレームとの間には、センターカバーを本体フレームに固定するための固定装置が構成されている。一方、センターカバーが本体フレームに固定される場合に、本体フレームにおいてセンターカバーの他方の縁部を支持する部分には、溝等の空間が形成されている。センターカバーの他方の縁部は、この溝に嵌め込まれる。
【０００４】
特許文献１に記載の照明装置において、当該照明装置が天井等に設置される場合には、センターカバーの他方の縁部が溝に嵌め込まれた後に、固定装置によってセンターカバーの一方の縁部が本体フレームに固定される。一方、本体フレームからセンターカバーが取り外される場合には、固定装置によるセンターカバーの一方の縁部と本体フレームとの間の固定が施工者によって解除された後に、センターカバーの他方の縁部が溝から引き出される。
【先行技術文献】
【特許文献】
【０００５】
【特許文献１】特開２０１１−８９６４号公報
【発明の概要】
【発明が解決しようとする課題】
【０００６】
特許文献１に記載の照明装置においては、上記のように、センターカバーを本体フレームに固定するための固定装置が、センターカバーの長手方向の一端と本体カバーとの間に構成されている。つまり、固定装置のうちのセンターカバーによって構成される部分は、センターカバーの長手方向の一端に配置されている。
【０００７】
一旦設置された当該照明装置が取り換えられる場合等には、室内に設置された備品の配置に応じて、施工のための空間が限定される。このような場合に、当該照明装置のセンターカバーの他端側にしか空間が残されていないときには、センターカバーの長手方向の一端にまで施工者の手が届かないような不都合が生じるため、作業に手間が掛かる。そのため、施工のための空間が限定される場合であっても、器具本体からカバー部材を容易に取り外すこと、または、器具本体にカバー部材を容易に取り付けることが可能な照明装置が望まれていた。
【０００８】
そこで、本発明の目的は、器具本体からカバー部材を容易に取り外すこと、または、器具本体にカバー部材を容易に取り付けることが可能な照明装置を提供することである。
【課題を解決するための手段】
【０００９】
本発明に従った照明装置は、器具本体とカバー部材と支持部と取付部とを備えている。カバー部材は、長尺の板形状を有する。支持部は、器具本体の両端部に配置されている。支持部には、カバー部材の長手方向の両端部がそれぞれ挿入される。支持部は、カバー部材の長手方向の両端部をそれぞれ挿入させることによってカバー部材を支持する。取付部は、カバー部材の長手方向の中央部においてカバー部材を器具本体に取り付ける。
【００１０】
本発明において、取付部は、カバー部材の長手方向の中央部に配置されている。そのため、本発明に従った照明装置のカバー部材の長手方向の一端または他端にしか施工のための空間が残されていない場合であっても、カバー部材の長手方向の中央部に施工者が手を届かせるだけで、取り付けまたは取り外しの作業を行うことができる。
【００１１】
本発明に従った照明装置において、カバー部材の両端部は、それぞれ、支持部に挿入される。このように、カバー部材は、器具本体の両端部において支持部に支持される。本発明に従った照明装置によれば、限られた空間に位置する施工者は、カバー部材の両端部をそれぞれ支持部に挿入したうえで、カバー部材を器具本体に取り付けることができる。このように、施工のための空間が限定される場合でも、カバー部材の長手方向の両端においてカバー部材を器具本体に固定させる必要がないため、器具本体に対してカバー部材を取り付ける場合に不都合は生じない。
【００１２】
したがって、本発明によれば、施工のための空間が限定される場合であっても、器具本体からカバー部材を容易に取り外すこと、または、器具本体にカバー部材を容易に取り付けることができる。
【００１３】
また、本発明において、カバー部材の長手方向の両端部は、それぞれ、支持部に挿入される。さらに、カバー部材の長手方向の中央部において、カバー部材が取付部によって器具本体に取り付けられる。そのため、照明装置が天井に設置される場合に、カバー部材の長手方向の中央部が撓むことを防止することができる。
【００１４】
本発明に従った照明装置において、好ましくは、取付部は、カバー部材が把持されるための取っ手を含む。
【００１５】
この構成によれば、取っ手が捕まれることにより、器具本体からカバー部材をさらに容易に取り外すこと、または、器具本体にカバー部材をさらに容易に取り付けることができる。
【００１６】
本発明に従った照明装置において、好ましくは、取付部は、取っ手とともに移動するストッパと、器具本体にストッパが支持されるようにストッパを付勢する付勢部材とをさらに含む。
【００１７】
この構成によれば、取っ手とストッパと付勢部材とによって付勢部材の付勢力を利用することにより、器具本体からカバー部材を容易に取り外すこと、または、器具本体にカバー部材を容易に取り付けることができる。
【発明の効果】
【００１８】
以上のように、本発明によれば、器具本体からカバー部材を容易に取り外すこと、または、器具本体にカバー部材を容易に取り付けることが可能な照明装置を提供することができる。
【図面の簡単な説明】
【００１９】
【図１】本発明に従った照明装置の底面図である。
【図２】本発明に従った照明装置においてカバー部材が器具本体から取り外された照明装置を示す斜視図である。
【図３】本発明に従った照明装置の分解斜視図である。
【図４】図１に示すＩＶ部分の一部拡大図である。
【図５】図４に示すＶ−Ｖ線の断面図である。
【図６】図１に示すＶＩ−ＶＩ線の拡大断面図である。
【図７】図１に示すＶＩＩ−ＶＩＩ線の拡大断面図である。
【図８】図１に示すＶＩＩＩ−ＶＩＩＩ線の拡大断面図である。
【発明を実施するための形態】
【００２０】
以下、本発明の実施の形態を図面に基づいて説明する。
【００２１】
図１〜３に、本発明に従った照明装置１００を示す。照明装置１００は、図示しない天井に設置される照明装置であって、器具本体１０とセンターカバー５０とを備えている。器具本体１０は、電気部品４０（図３参照）と、フレーム９０とを含む。フレーム９０は、一定の長さと幅とを有している。フレーム９０において、長手方向の寸法は、幅方向の寸法よりも大きい。なお、フレーム９０の長手方向とは、図１の左右方向をいう。フレーム９０の幅方向とは、図１の上下方向をいう。
【００２２】
センターカバー５０は、カバー部材の一例である。センターカバー５０は、器具本体１０に取り付けられる。センターカバー５０は、板形状を有し、長方形状を有するように一定の長さと幅とを有している。センターカバー５０において、長手方向の寸法は、幅方向の寸法よりも大きい。なお、センターカバー５０の長手方向とは、図１の左右方向をいう。センターカバー５０の幅方向とは、図１の上下方向をいう。照明装置１００において、センターカバー５０の長手方向は、器具本体１０の長手方向と略平行な方向である。
【００２３】
図３に示すように、フレーム９０は、基部９１と基部９２と基部９６とを有している。基部９１は、幅方向の一端側において、長手方向に沿って略水平方向に延びている。基部９２は、幅方向の他端側において、長手方向に沿って略水平方向に延びている。基部９６は、幅方向の中央部において、長手方向に沿って略水平方向に延びている。フレーム９０において、基部９６と対向する面には、開口部９５が形成されている。
【００２４】
基部９６には、電気回路を含む電気部品４０と、端子４１とが取り付けられる。図示されていないが、基部９６には、スピーカ、非常灯、煙探知器、スプリンクラー、または、照度センサ等の天井設備機器が取り付けられていてもよい。
【００２５】
基部９１と基部９２とには、それぞれ基板８１と基板８２とが固定される。基板８１と基板８２とには、それぞれ複数の発光ダイオード（以下、ＬＥＤという）８が取り付けられている（図３においては、それぞれ三つのＬＥＤ８のみを指示する）。基板８１には、反射シート８３とレンズ８５との順に、反射シート８３とレンズ８５とが被せられる。基板８２には、反射シート８４とレンズ８６との順に、反射シート８４とレンズ８６とが被せられる。
【００２６】
また、フレーム９０には、それぞれ拡散パネル８７と拡散パネル８８とが取り付けられる。拡散パネル８７は、基部９１において、基板８１と反射シート８３とレンズ８５とを覆う。拡散パネル８８は、基部９２において、基板８２と反射シート８４とレンズ８６とを覆う。
【００２７】
器具本体１０の長手方向の一端には、サイドカバー２０が配置され、長手方向の他端には、サイドカバー３０が配置されている。サイドカバー２０およびサイドカバー３０は、センターカバー５０の長手方向の両端部がそれぞれ挿入されることによってセンターカバー５０を支持する支持部の一例である。サイドカバー２０は、フレーム９０の長手方向の一端縁９３に取り付けられ、サイドカバー３０は、長手方向の他端縁９４に取り付けられる。このように、照明装置１００において、器具本体１０は、フレーム９０と、電気部品４０と、端子４１と、基板８１，８２と、反射シート８３，８４と、レンズ８５，８６と、拡散パネル８７，８８と、サイドカバー２０，３０とを含む。
【００２８】
器具本体１０が天井に設置されたときには、開口部９５は、鉛直下方に面している。センターカバー５０は、開口部９５を覆うように、フレーム９０に取り付けられる。つまり、施工者は、室内の床面から天井に向かって、センターカバー５０を持ち上げることによって器具本体１０にセンターカバー５０を取り付ける。
【００２９】
センターカバー５０の長手方向の中央部には、器具本体１０にセンターカバー５０を取り付けるための取付部５１が配置されている。取付部５１は、施工者がセンターカバー５０を把持するための取っ手５１ａ，５１ｂを含む。
【００３０】
図２に示すように、センターカバー５０は、水平部５６と側縁部５４と側縁部５５とを有している。水平部５６は、略水平方向に延びている。水平部５６は、長方形状を有する板である。水平部５６において、長手方向の寸法は、幅方向の寸法よりも大きい。側縁部５４は、水平部５６の幅方向の一端において、水平部５６に対して略垂直方向に延びている。側縁部５５は、水平部５６の幅方向の他端において、水平部５６に対して略垂直方向に延びている。
【００３１】
図４と図６とに、取付部の一例としての取付部５１を示す。図４に示すように、センターカバー５０には、固定アングル６０が固定されている。固定アングル６０は、センターカバー５０の幅方向に沿って延びている。取付部５１が取り付けられる位置において、センターカバー５０は、水平縁部５４ａと、垂直縁部５４ｂと、水平縁部５５ａと、垂直縁部５５ｂとを有している（図４と図６とを参照）。図６に示すように、水平縁部５４ａは、側縁部５４の下端から中央に向かって略水平方向に延びる。垂直縁部５４ｂは、水平縁部５４ａに対して略垂直に水平縁部５４ａから延びる。同様に、水平縁部５５ａは、側縁部５５の下端から中央に向かって略水平方向に延びる。垂直縁部５５ｂは、水平縁部５５ａに対して略垂直に水平縁部５５ａから延びる。複数のネジ等の固定具によって、水平縁部５４ａと固定アングル６０とが固定され、且つ、水平縁部５５ａと固定アングル６０とが固定されることによって、センターカバー５０に固定アングル６０が固定される。
【００３２】
センターカバー５０の長手方向に沿った略中央の位置において、側縁部５４，５５には、それぞれ孔５４ｐ，５５ｐが形成されている（図６参照）。また、垂直縁部５４ｂ，５５ｂには、それぞれ孔５４ｐ，５５ｐに対向するように孔５４ｃ，５５ｃが形成されている。一方、フレーム９０には、孔９０ａ，９０ｂが形成されている。孔９０ａ，９０ｂは、センターカバー５０が器具本体１０に取り付けられる場合に、孔５４ｐ，５５ｐと対向する位置に配置されている。
【００３３】
取付部５１は、さらに、ロッド状のストッパ５１ｃ，５１ｄと、付勢部材の一例としてのコイルバネ５とを有している。ストッパ５１ｃは、フランジ部５１ｅと先端５１ｉとを有している。ストッパ５１ｄは、フランジ部５１ｆと先端５１ｊとを有している。ストッパ５１ｃ，５１ｄは、センターカバー５０の幅方向に沿って延びるように、センターカバー５０の水平部５６と固定アングル６０との間に配置される。
【００３４】
孔５４ｃと孔５４ｐと孔９０ａとを先端５１ｉが貫通することにより、ストッパ５１ｃは、側縁部５４とフレーム９０とに支持される。同様に、孔５５ｃと孔５５ｐと孔９０ｂとを先端５１ｊが貫通することにより、ストッパ５１ｄは、側縁部５５とフレーム９０とに支持される。
【００３５】
取っ手５１ａ，５１ｂは、それぞれストッパ５１ｃ，５１ｄに固定されている。つまり、ストッパ５１ｃ，５１ｄは、それぞれ取っ手５１ａ，５１ｂとともに移動する。取っ手５１ａの一部は、水平部５６の中央部に形成された開口５６ｐから突出している。取っ手５１ａは、水平部５６に対して略垂直に延びる垂直面５１ｐを有している。取っ手５１ａは、水平部５６に沿って移動することが可能な形状を有している。同様に、取っ手５１ｂの一部は、水平部５６の中央部に形成された開口５６ｑから突出している。取っ手５１ｂは、水平部５６に対して略垂直に延びる垂直面５１ｑを有している。取っ手５１ｂは、水平部５６に沿って移動することが可能な形状を有している。
【００３６】
垂直面５１ｐと垂直面５１ｑとの間には、圧縮された状態でコイルバネ５が配置されている。コイルバネ５の内部には、ストッパ５１ｃの後方端部とストッパ５１ｄの後方端部とが収容されている。コイルバネ５のバネ力によって、ストッパ５１ｃとストッパ５１ｄとがそれぞれ側縁部５４と側縁部５５とに向かって押圧される。フランジ部５１ｅが垂直縁部５４ｂに接触することにより、幅方向に沿ったストッパ５１ｃの移動の範囲は制限される。フランジ部５１ｆが垂直縁部５５ｂに接触することにより、幅方向に沿ったストッパ５１ｄの移動の範囲は制限される。孔５４ｃと孔５４ｐと孔９０ａとを先端５１ｉが貫通したストッパ５１ｃと、フレーム９０との間の支持は、コイルバネ５のバネ力によって維持される。同様に、孔５５ｃと孔５５ｐと孔９０ｂとを先端５１ｊが貫通したストッパ５１ｄと、フレーム９０との間の支持は、コイルバネ５のバネ力によって維持される。
【００３７】
なお、図１〜３においては、センターカバー５０の開口５６ｐ，５６ｑとストッパ５１ｃ，５１ｄとの図示を省略している。
【００３８】
なお、図６に示すように、フレーム９０には、隔壁９０ｃと隔壁９０ｄとが形成されている。隔壁９０ｃは、フレーム９０において、ストッパ５１ｃの先端５１ｉが収容される空間と、ＬＥＤ８および反射シート８３が収容される空間とを区画する。隔壁９０ｄは、フレーム９０において、ストッパ５１ｄの先端５１ｊが収容される空間と、ＬＥＤ８および反射シート８４が収容される空間とを区画する。隔壁９０ｃ，９０ｄにより、センターカバー５０が器具本体１０から分離されている場合に、ＬＥＤ８が収容された空間に埃が侵入することを防止することができる。あるいは、センターカバー５０が器具本体１０から取り外される場合、もしくは、センターカバー５０が器具本体１０に取り付けられる場合に、先端５１ｉ，５１ｊとフレーム９０とがそれぞれ接触することによって先端５１ｉ，５１ｊまたはフレーム９０から削り落とされた屑が、ＬＥＤ８が収容された空間に侵入することを、隔壁９０ｃ，９０ｄによって防止することができる。
【００３９】
図７に示すように、サイドカバー２０とサイドカバー３０とには、それぞれセンターカバー５０を支持するためのリブ２１とリブ３１とが形成されている。図８に示すように、サイドカバー２０は、三つのリブ２１を有している。三つのリブ２１は、幅方向に沿って均等に並んでいる。リブ２１は、垂直面部２１ａと摺動面部２１ｂとを有している。垂直面部２１ａは、センターカバー５０の長手方向の一端５２と対向する面部である。摺動面部２１ｂは、センターカバー５０の水平部５６の下面を摺動させる面部である。図示されていないが、サイドカバー３０も、三つのリブ３１を同様に有している。
【００４０】
図８に示すように、サイドカバー２０には、開口２２が形成されている。開口２２は、電気部品４０（図３参照）等の配線を通すためのものである。器具本体１０（図３参照）が天井に設置されている場合には、これら電気部品４０（図３参照）等の配線は、天井裏の空間から開口２２を通ってフレーム９０（図３参照）の内部にまで延びている。
【００４１】
なお、図７においては、フレーム９０を含む器具本体１０の図示を省略している。また、図７に示すサイドカバー２０，３０の形状は、リブ２１，３１の形状を除いて簡略化されている。
【００４２】
器具本体１０にセンターカバー５０が取り付けられる場合には、施工者は、取っ手５１ａ，５１ｂ（図４参照）を摘まみながら、コイルバネ５（図４参照）のバネ力に打ち勝つ力でそれぞれを近づけるように、取っ手５１ａ，５１ｂを移動させる。このとき、コイルバネ５がさらに縮小し、取っ手５１ａとともにストッパ５１ｃが幅方向に沿って一方（図４の下方）に移動し、且つ、取っ手５１ｂとともにストッパ５１ｄが幅方向に沿って他方（図４の上方）に移動する。
【００４３】
施工者は、先端５１ｉが孔５４ｐ（図６参照）から抜ける位置および先端５１ｊが孔５５ｐ（図６参照）から抜ける位置まで、取っ手５１ａと取っ手５１ｂとを移動させる。このように、先端５１ｉが孔５４ｐ（図６参照）から抜け、且つ、先端５１ｊが孔５５ｐ（図６参照）から抜けた状態において、センターカバー５０は、開口部９５からフレーム９０（いずれも図２参照）の内部の空間に移動される。
【００４４】
施工者が、例えば、センターカバー５０の長手方向の一端５２を垂直面部２１ａに接触させるように、リブ２１の摺動面部２１ｂに沿って一端５２を移動させることによって、一端５２がサイドカバー２０の内部に配置される。さらに、一端５２がサイドカバー２０の内部に配置されたまま、センターカバー５０の長手方向の他端５３を垂直面部３１ａに接触させるように、リブ３１の摺動面部３１ｂに沿って他端５３を移動させることによって、他端５３がサイドカバー３０の内部に配置される。このようにして、センターカバー５０は、開口部９５からフレーム９０（いずれも図２参照）の内部の空間に収容される。
【００４５】
施工者は、コイルバネ５（図４参照）のバネ力に打ち勝つ力で取っ手５１ａ，５１ｂ（図４参照）を摘まみながら、一端５２がサイドカバー２０の内部に配置され且つ他端５３がサイドカバー３０の内部に配置された状態で、器具本体１０（図２参照）の長手方向に沿ってセンターカバー５０をスライドさせる。さらに、施工者は、センターカバー５０をスライドさせながら、ストッパ５１ｃの先端５１ｉがフレーム９０の孔９０ａ（図６参照）に対応する位置、および、ストッパ５１ｄの先端５１ｊがフレーム９０の孔９０ｂ（図６参照）に対応する位置において、取っ手５１ａ，５１ｂを摘む力を弱める。これにより、コイルバネ５のバネ力によって、ストッパ５１ｃの先端５１ｉが孔９０ａに貫通し、且つ、ストッパ５１ｄの先端５１ｊが孔９０ｂに貫通する。
【００４６】
あるいは、施工者は、取っ手５１ａ，５１ｂを摘む力を弱めたうえで、センターカバー５０をスライドさせる。施工者は、ストッパ５１ｃの先端５１ｉが孔９０ａ（図６参照）に対応し、且つ、ストッパ５１ｄの先端５１ｊが孔９０ｂ（図６参照）に対応する位置に、センターカバー５０をスライドさせる。先端５１ｉと先端５１ｊとが、このような位置に配置される場合には、コイルバネ５のバネ力によって、ストッパ５１ｃの先端５１ｉが孔９０ａに貫通し、且つ、ストッパ５１ｄの先端５１ｊが孔９０ｂに貫通する。このようにして、ストッパ５１ｃ，５１ｄがフレーム９０に支持されることによって、取付部５１が器具本体１０に取り付けられる。
【００４７】
以上のように、照明装置１００は、器具本体１０と、センターカバー５０と、サイドカバー２０，３０と、取付部５１とを備えている。センターカバー５０は、長尺の板形状を有する。サイドカバー２０，３０は、それぞれ、器具本体１０の一端と他端とに配置されている。サイドカバー２０，３０には、センターカバー５０の長手方向の一端５２と他端５３とがそれぞれ挿入される。サイドカバー２０，３０は、センターカバー５０の長手方向の一端５２と他端５３とをそれぞれ挿入させることによってセンターカバー５０を支持する。取付部５１は、センターカバー５０の長手方向の中央部においてセンターカバー５０を器具本体１０に取り付ける。
【００４８】
照明装置１００において、取付部５１は、センターカバー５０の長手方向の中央部に配置されている。そのため、照明装置１００のセンターカバー５０の長手方向の一端５２または他端５３にしか施工のための空間が残されていない場合であっても、センターカバー５０の長手方向の中央部に施工者が手を届かせるだけで、取り付けまたは取り外しの作業を行うことができる。
【００４９】
照明装置１００において、センターカバー５０の一端５２と他端５３とは、それぞれ、サイドカバー２０，３０に挿入される。このように、センターカバー５０は、器具本体１０の両端部においてサイドカバー２０とサイドカバー３０とに支持される。照明装置１００によれば、限られた空間に位置する施工者は、センターカバー５０の一端５２と他端５３とを、それぞれ、サイドカバー２０，３０に挿入したうえで、センターカバー５０を器具本体１０に取り付けることができる。つまり、一端側のサイドカバー２０と他端側のサイドカバー３０とのいずれからでもセンターカバー５０を挿入することができる。このように、施工のための空間が限定される場合でも、センターカバー５０の長手方向の一端または他端においてセンターカバー５０を器具本体１０に固定させる必要がなく、さらにセンターカバー５０を挿入する方向も一端側と他端側とのいずれか一方に制限されないため、器具本体１０に対してセンターカバー５０を取り付ける場合に不都合は生じない。
【００５０】
したがって、照明装置１００によれば、施工のための空間が限定される場合であっても、器具本体１０からセンターカバー５０を容易に取り外すこと、または、器具本体１０にセンターカバー５０を容易に取り付けることができる。
【００５１】
また、照明装置１００において、センターカバー５０の長手方向の一端５２と他端５３とは、それぞれ、サイドカバー２０，３０に挿入される。さらに、センターカバー５０の長手方向の中央部において、センターカバー５０が取付部５１によって器具本体１０に取り付けられる。そのため、照明装置１００が天井に設置される場合に、センターカバー５０の長手方向の中央部が撓むことを防止することができる。
【００５２】
照明装置１００において、取付部５１は、センターカバー５０が把持されるための取っ手５１ａ，５１ｂを含む。
【００５３】
この構成によれば、取っ手５１ａ，５１ｂが捕まれることにより、器具本体１０からセンターカバー５０をさらに容易に取り外すこと、または、器具本体１０にセンターカバー５０をさらに容易に取り付けることができる。
【００５４】
照明装置１００において、取付部５１は、取っ手５１ａ，５１ｂとともに移動するストッパ５１ｃ，５１ｄと、器具本体１０にストッパ５１ｃ，５１ｄが支持されるようにストッパ５１ｃ，５１ｄを付勢するコイルバネ５とを含む。
【００５５】
この構成によれば、取っ手５１ａ，５１ｂとストッパ５１ｃ，５１ｄとコイルバネ５とによってコイルバネ５のバネ力を利用することにより、器具本体１０からセンターカバー５０を容易に取り外すこと、または、器具本体１０にセンターカバー５０を容易に取り付けることができる。
【００５６】
なお、本発明に従った照明装置の取付部において、ストッパは、カバー部材の幅方向に沿って移動するものに限定されず、所定の回転軸線を中心に回転するものであってもよい。また、取付部の一例の取付部５１の付勢部材は、センターカバー５０の幅方向に沿ってストッパを付勢するものに限定されず、所定の回転軸線を中心にストッパが回転するようにストッパを付勢していてもよい。ただし、このように構成された取付部５１も、センターカバー５０の長手方向の中央部に配置されていることが好ましい。
【００５７】
照明装置１００の取付部５１においては、付勢部材の一例としてのコイルバネ５が用いられている。しかしながら、本発明に従った照明装置の取付部において、ストッパは、付勢部材の付勢力によって移動するものに限定されず、施工者の手動によって移動するものであってもよい。このように、本発明に従った照明装置の取付部は、付勢部材の付勢力を利用しない構成であってもよい。
【００５８】
なお、本発明に従った照明装置において、フレームを含む器具本体の形状は、限定されない。器具本体の水平断面の形状は、例えば、略円形状、正方形等であってもよい。
【００５９】
本発明に従った照明装置は、天井に設置される照明装置に限定されず、壁に取り付けられる照明装置であってもよい。本発明に従った照明装置において、カバー部材は器具本体の端に取り付けられるものであってもよい。ただし、カバー部材は、長尺の板形状を有していることが好ましい。なお、カバー部材の形状は、長方形状に限定されず、楕円形状またはその他の多角形状であってもよい。
【００６０】
照明装置１００において、光源は発光ダイオードであることに限定されず、光源はＥＬ（エレクトロルミネッセンス）であってもよい。
【００６１】
なお、本発明に従った照明装置においては、支持部の一例としてのサイドカバー２０，３０が器具本体１０と別部材であるものに限定されず、両端部または一方もしくは他方の端部の支持部と器具本体とが一体であってもよい。
【００６２】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００６３】
５：コイルバネ、１０：器具本体、５０：センターカバー、５１：取付部、５１ａ，５１ｂ：取っ手、５１ｃ，５１ｄ：ストッパ、１００：照明装置
【図１】
2014017145.tif 000003
【図２】
2014017145.tif 000004
【図３】
2014017145.tif 000005
【図４】
2014017145.tif 000006
【図５】
2014017145.tif 000007
【図６】
2014017145.tif 000008
【図７】
2014017145.tif 000009
【図８】
2014017145.tif 000010